(57)【特許請求の範囲】
【請求項１】
光プリアンプと光ポストアンプとを含む光ノードにおける光アンプの監視制御方法であって、
光ポストアンプを自動利得制御するステップと、
光プリアンプを、立ち上げ時には自動レベル制御で立ち上げ、通常運用時は自動利得制御で制御し、通常運用時の所定期間毎に自動レベル制御を行うステップと、
前記光ポストアンプの入力光パワーが所定範囲内になり、かつ、光ポストアンプの利得が規定範囲になった場合に、次ノードに対し、光ポストアンプの動作が通常状態であることを、送信される光信号の波長多重数と共に、監視制御信号を用いて送信するステップと、
を備えることを特徴とする光アンプの監視制御方法。
【請求項２】
前記光プリアンプは、前ノードの光ポストアンプから、波長多重数と、通常状態であることの通知を受けて、自動レベル制御によって立ち上がり、光プリアンプの出力レベルが一定時間、目標出力レベルの範囲内であれば、光プリアンプの利得をメモリに格納するステップを更に備えることを特徴とする請求項１に記載の光アンプの監視制御方法。
【請求項３】
前記光プリアンプは、通常運用時の所定期間毎の自動レベル制御において、所定の出力レベルが得られた時の利得をメモリに格納することを特徴とする請求項１に記載の光アンプの監視制御方法。
【請求項４】
前記光プリアンプは、自動利得制御中に、定期的に自動レベル制御に切り替え、光プリアンプの出力が目標出力範囲内に一定時間以上入った場合に、その時点での利得を保持し、前ノードから通常状態であることの通知を所定時間継続して受信した場合に、自動利得制御に戻ることを特徴とする請求項１に記載の光アンプの監視制御方法。
【請求項５】
前ノードから通常状態ではない旨の通知を受けた場合に、メモリに有効な利得値が格納されていない場合には、光プリアンプの出力をシャットダウンすることを特徴とする請求項２に記載の光アンプの監視制御方法。
【請求項６】
前記光プリアンプにおいて、電源断が発生した後、復旧した場合の光プリアンプの再起動時に、有効な光プリアンプの利得値がメモリに格納されている場合には、該利得値を用いて該光プリアンプを自動利得制御して再起動することを特徴とする請求項２に記載の光プリアンプの監視制御方法。
【請求項７】
前記光プリアンプのシリアル番号と該光プリアンプが収容されるシェルフのシリアル番号をメモリに格納し、電源断からの光プリアンプ起動時に光プリアンプ及びシェルフのシリアル番号と、格納された光プリアンプ及びシェルフのシリアル番号を比較し、一致している場合に、格納されている利得値に基づいて、該光プリアンプを自動利得制御によって起動することを特徴とする請求項１に記載の光プリアンプの監視制御方法。
【請求項８】
光プリアンプと光ポストアンプとを含む光ノードにおける光アンプの監視制御システムであって、
自動利得制御される光ポストアンプと、
立ち上げ時には自動レベル制御で立ち上げ、通常運用時は自動利得制御で制御し、通常運用時の所定期間毎に自動レベル制御される光プリアンプと、
を備え、
前記光ポストアンプの入力光パワーが所定範囲内になり、かつ、光ポストアンプの利得が規定範囲になった場合に、次ノードに対し、光ポストアンプの動作が通常状態であることを、送信される光信号の波長多重数と共に、監視制御信号を用いて送信することを特徴とする光アンプの監視制御システム。
【請求項９】
前記光プリアンプは、前ノードの光ポストアンプから、波長多重数と、通常状態であることの通知を受けて、自動レベル制御によって立ち上がり、光プリアンプの出力レベルが一定時間、目標出力レベルの範囲内であれば、光プリアンプの利得を格納するメモリを更に備えることを特徴とする請求項８に記載の光アンプの監視制御システム。
【請求項１０】
前記光プリアンプは、通常運用時の所定期間毎の自動レベル制御において、所定の出力レベルが得られた時の利得をメモリに格納することを特徴とする請求項８に記載の光アンプの監視制御システム。
【請求項１１】
前記光プリアンプは、自動利得制御中に、定期的に自動レベル制御に切り替え、光プリアンプの出力が目標出力範囲内に一定時間以上入った場合に、その時点での利得を保持し、前ノードから通常状態であることの通知を所定時間継続して受信した場合に、自動利得制御に戻ることを特徴とする請求項８に記載の光アンプの監視制御システム。
【請求項１２】
前ノードから通常状態ではない旨の通知を受けた場合に、メモリに有効な利得値が格納されていない場合には、光プリアンプの出力をシャットダウンすることを特徴とする請求項９に記載の光アンプの監視制御システム。
【請求項１３】
前記光プリアンプにおいて、電源断が発生した後、復旧した場合の光プリアンプの再起動時に、有効な光プリアンプの利得値がメモリに格納されている場合には、該利得値を用いて該光プリアンプを自動利得制御して再起動することを特徴とする請求項９に記載の光プリアンプの監視制御システム。
【請求項１４】
前記光プリアンプのシリアル番号と該光プリアンプが収容されるシェルフのシリアル番号をメモリに格納し、電源断からの光プリアンプ起動時に光プリアンプ及びシェルフのシリアル番号と、格納された光プリアンプ及びシェルフのシリアル番号を比較し、一致している場合に、格納されている利得値に基づいて、該光プリアンプを自動利得制御によって起動することを特徴とする請求項８に記載の光プリアンプの監視制御システム。
【発明の詳細な説明】
【０００１】
【発明の属する技術分野】
本発明は、光波長多重（ＷＤＭ：Wavelength  Division  Multiplexing）通信ネットワークに使用されるＷＤＭ伝送装置及び光アンプの制御システムに関する。特には、ＷＤＭネットワークにおいて、光波長のアド／ドロップ（ＡＤＭ：Add  Drop  Multiplexing）機能及び光パスプロテクション機能をサポートした場合の光アンプの制御システムに関する。
【０００２】
【従来の技術】
光伝送装置においてＷＤＭ（Wavelength  Division  Multiplexing）技術を用いた光伝送が実用化されており、また、光波長単位のアド／ドロップ機能及び光パスプロテクションスイッチ機能をサポートした光ＡＤＭ装置を用いたＷＤＭリングネットワークが実用化されつつある。
【０００３】
図１０は、ＡＤＭ機能を持ったＷＤＭ通信装置の構成例である。
上流（前ノード）からの信号は、伝送路１２１を使って伝送され、プリアンプ（多波長光前段アンプ）１０１で増幅された後、ＤＥＭＵＸ（波長分離器）１０２で波長毎に分離され、光スイッチ１０３で経路選択（スルー／アド／ドロップ）をされた後、ＭＵＸ（波長多重器）１０４で波長多重され、ポストアンプ（多波長後段アンプ）１０５で増幅されて、伝送路１２２により下流（次ノード）へ伝送される。
【０００４】
また、同様に、伝送路１２４により伝送された信号は、プリアンプ（多波長光前段アンプ）１１５で増幅された後、ＤＥＭＵＸ（波長分離器）１１４で波長毎に分離され、光スイッチ１０３で経路選択（スルー／アド／ドロップ）をした後、ＭＵＸ（波長多重器）１１２で波長多重され、ポストアンプ（多波長後段アンプ）１１１で増幅されて、伝送路１２３により下流（次ノード）へ伝送される。
【０００５】
また、光スイッチ１０３により、伝送路１２５から光スイッチ１０３に入ったλａを伝送路１２２や１２３に追加（アド）したり、伝送路１２１や１２４からλｂを引き出して（ドロップ）、伝送路１２６に送出することができる。
【０００６】
ＷＤＭ通信装置に使用される多波長光アンプ（プリアンプ、ポストアンプ）の制御方法としては、ＡＬＣとＡＧＣが考えられる。
ＡＬＣ（Automatic  Level  Control）モード
多重波長数ｎ
一波あたりの目標出力レベルＰｎ
とした場合に、光アンプへの光入力レベルによらず、光アンプのトータル出力Ｐｏが一定（＝ｎ×Ｐｎ）になるように光アンプのゲインを制御するモード。
【０００７】
光アンプの入力レベルが変動しても、光アンプのトータル出力レベルが一定になるように光アンプを制御する。
ところで、光アンプに入力される光信号において、波長多重された波長の一つが断になった場合、ＡＬＣではトータル出力レベルを一定にしようとするので、断になった以外の波長をより強く増幅することになる。
【０００８】
また、光アンプに入力される光信号に新たに一波が追加になった場合も、ＡＬＣではトータル出力レベルを一定にしようとするので、波長毎の光アンプ出力レベルは低下することになる。
【０００９】
このように、光アンプに入力する波長数が増減した場合に、各波長の出力レベルが変化してしまい、この波長の光を受信するＯ／Ｒモジュールの入力許容レベル範囲からはずれた場合、信号がエラーしてしまう。従来技術では、このようなＡＬＣにおける問題を解決するために、パイロット信号を多重し、そのパイロット信号のレベルを一定に制御する方式が考えられているが、常に余分な光（パイロット信号）を多重しておく必要があり、パイロット信号の送受、多重、分離用部品を搭載する必要がありコストや装置サイズが大きくなってしまう。また、パイロット信号を使用した場合、消費電力が増える問題がある。
【００１０】
あるいは、光監視制御用の光波長（ＯＳＣ：Optical  Supervisory  Channel）を設けて、多重化された波長数情報を通知し、各光アンプは、この情報に基づいて目標トータル出力レベルを変更し、利得制御を行う方法もある。
【００１１】
ＡＧＣ（Automatic  Gain  Control）モード
光アンプへの光入力レベルと光出力レベルの比（ゲイン）を一定に保つ制御モード。
【００１２】
光アンプの入力レベルが変動した場合、光アンプのゲインが一定のため、光アンプの出力レベルも入力レベルに追随して変動する。光アンプに入力される光信号の波長多重数が変化した場合、ゲインは一定のため、各波長の入力レベルが変化しなければ、各波長の出力レベルも変化しない。このため、新たな波長を追加、削除しても既存の波長を用いたサービスに影響はない。
【００１３】
【発明が解決しようとする課題】
（１−１）ＡＬＣを用いたＷＤＭシステムにおいて、ＯＳＣを介して光アンプの監視制御用信号を伝送し、利得制御を行う従来の技術では、次のような問題点がある。すなわち、光波長多重数を変更したときは、ＯＳＣを介してその情報が各光アンプに通知される。各光アンプは、その情報に基づいて新たな光波長数に対応した利得制御を行う。しかし、このとき、増減設された後の新しい波長数情報が各光アンプに通知される以前に、波長数が変更された後の光信号が光アンプに入力されると、各光波長の光アンプ出力レベルはＡＬＣの影響で変動し、そのレベルが受信側の受光許容レベル範囲を逸脱するとエラーを生じる原因となる。
（１−２）上記問題を解決するため、パイロット信号を多重し、そのパイロット信号のレベルを一定に制御することにより一波あたりのアンプ出力を一定にする方法が考えられるが、常に余分な光（パイロット信号）を多重しておく必要があり、パイロット信号の送受用部品、回路などのコストや電力が余分にかかるという問題がある。
（１−３）また、別の光アンプ制御方法として、ＷＤＭ伝送装置において、光アンプの送信パワーをモニタし、モニタした送信パワー情報をＯＳＣを介してすぐ次の下流ノードに通知し、次ノードでは前ノードの送信パワー情報を得て、当該ノードの光アンプ出力が前ノードの送信パワーと同じになるように光アンプの利得を制御する方法もある。しかし、前ノードにおいて波長が増減設され送信パワーが変わった場合に、新しい送信パワー情報が次ノードに通知される以前に、波長数が変更された光信号が光アンプに入力されると、光アンプの利得を正しく制御できず、その出力レベルが受信側の受光許容レベル範囲を逸脱するとエラーや受信不能状態に陥り、その波長を使っているサービスに影響が出る。
（２）光アンプ利得をＡＧＣで制御する従来の技術のＷＤＭシステムでは、次のような問題点がある。すなわち、ＡＧＣによる運用では、システムの立ち上げ時にノード間の光ロスを測定し、このロスを補うようアンプゲインを設定する必要がある。しかし、測定器を使った測定では、測定器を接続した場合と実際の運用時のコネクタ嵌合状態によりロスが変化するため、コネクタ接合部のロスも含めて正確にロスを測定するのは容易ではなく、光ロスの測定精度が悪い場合、光回線設計時にレベルマージンを余分に見込む必要が生じる。このような光ロス測定も含めて光アンプの立ち上げ（ゲイン設定）を自動化したいという要求がある。
（３）また、ノード間の接続に用いられる光ファイバは、温度や物理的な曲げなどの周囲条件により光ロスが変動するため、光アンプ利得をＡＧＣで制御するＷＤＭシステムでは、このような光ロス変動に対して光回線設計時にレベルマージンを余分に見込む必要があり、光回線設計が難しくなり、また、これらのレベル変動を吸収するために出力の大きな光アンプや減衰量の大きいＶＡＴ（可変光減衰器）を使用する必要が生じ、部品コストが高くなる問題がある。
（４）図１１にＷＤＭ通信ネットワークの一例を示す。ＷＤＭシステムにおいて、図１１に示すＷＤＭリングネットワークにおいて、時計回りの現用光経路（ワーキングパス）に障害が発生した場合、光スイッチにより反時計回りの予備光経路（プロテクションパス）に切り替える回線保護切り替え（パスプロテクションスイッチ）を実現する場合、プロテクションスイッチにより光波長の経路が切り替えられるため、光アンプに入力される波長数は０波からプロテクションされる波長数へ変化し、光入力レベルが急変する。プロテクションパスのように通常時は光信号が通っていない経路では、光入出力レベルが無く、光アンプをＡＬＣ、またはＡＧＣで制御することができないため、光アンプをシャットダウンしておく必要があるが、プロテクションスイッチ時にシャットダウン状態から光アンプを立ち上げるには時間がかかるという問題がある。
【００１４】
本発明の課題は、安価で、自動的にゲイン調整、立ち上げなどを行うことのできる光アンプの監視制御方法を提供することである。
【００１５】
【課題を解決するための手段】
本発明の光アンプの監視制御方法は、光プリアンプと光ポストアンプとを含む光ノードにおける光アンプの監視制御方法であって、光ポストアンプを自動利得制御するステップと、光プリアンプを、立ち上げ時には自動レベル制御で立ち上げ、通常運用時は自動利得制御で制御し、通常運用時の所定期間毎に自動レベル制御を行うステップとを備えることを特徴とする。
本発明の光アンプの監視制御システムは、光プリアンプと光ポストアンプとを含む光ノードにおける光アンプの監視制御システムであって、自動利得制御される光ポストアンプと、立ち上げ時には自動レベル制御で立ち上げ、通常運用時は自動利得制御で制御し、通常運用時の所定期間毎に自動レベル制御される光プリアンプとを備えることを特徴とする。
【００１６】
本発明によれば、安価で、自動的にゲイン調整、立ち上げなどを行うことができる光アンプの監視制御方法を提供することができる。
【００１７】
【発明の実施の形態】
本発明の実施形態においては、ＷＤＭ伝送装置において、光ポストアンプとＡＧＣを行うＡＧＣ回路と光ポストアンプの入力光レベルをモニタする入力パワーモニタと、監視制御信号を送受するＯＳＣ送受信回路とを有し、光ポストアンプ出力の光波長数をＯＳＣ経由で次ノードに通知し、前記入力パワーモニタによってモニタされた入力光レベルが規定範囲内に入り、かつ光アンプのゲインが規定範囲内になった場合に、ＯＳＣ経由で次ノードに対しノーマルオペレーション状態通知を行い、入力光レベルが規定範囲外になった場合はノーマルオペレーション状態をクリアする。また、光波長数が変化した場合は、新しい光波長数をＯＳＣ経由で次ノードへ通知する。
【００１８】
光プリアンプと、ＡＬＣとＡＧＣの二つの制御モードを持つゲイン制御回路と、アンプゲイン保持部と、監視制御信号を送受するＯＳＣ送受信回路と、ノード間で監視制御情報を処理及び転送するのにかかる時間より長いタイムアウト時間を持つガード時間タイマとを有し、ＡＬＣの時定数をノード間で監視制御情報を処理及び転送するのにかかる時間より長く取り、ＡＬＣ時に前ノードからの光波長数や光レベルが変動しても、前ノードから新しい監視制御情報（光波長数やノーマルオペレーション状態）が転送されてくるまでの期間は光プリアンプのゲインがほとんど変化しないようにする。
【００１９】
光プリアンプの初期立ち上げを行う場合に、ＯＳＣ経由で前ノードからのノーマルオペレーション状態通知を受け取ることにより、光プリアンプをＡＬＣで起動し、光プリアンプの出力が目標出力範囲内に一定時間以上入った場合に、その時点でのアンプゲインを保持し、ガード時間タイマがタイムアウトするまでの期間継続した場合に、ＡＧＣに切り替える。
【００２０】
光プリアンプがＡＧＣにて運用中に、定期的にＡＬＣに切り替え、光プリアンプの出力が目標出力範囲内に一定時間以上入った場合に、その時点でのアンプゲインをアンプゲイン保持部に上書きして保持し、ガード時間タイマをスタートさせ、前ノードからのノーマルオペレーション状態がこのガード時間タイマがタイムアウトするまでの期間継続した場合に、ＡＧＣに戻す。
【００２１】
光プリアンプのゲインを不揮発性メモリにバックアップするバックアップ部を有し、上記のようにＡＬＣからＡＧＣに切り替えたときのアンプゲイン保持部に保持しているアンプゲインを、バックアップ部にバックアップする。
【００２２】
ＡＬＣとＡＧＣの二つの制御モードを持つ光プリアンプにおいて、光プリアンプをＡＬＣ中に前ノードからのノーマルオペレーション状態通知がクリアされるか光波長数が変化した場合に、ＡＬＣを中止し、有効な光アンプゲイン値がバックアップされている場合は、そのバックアップされているゲイン値を用いてＡＧＣに移行し、有効な光アンプゲイン値がバックアップされていない場合は、再度ノーマルオペレーション通知を受信するまで光アンプ出力をシャットダウンする。
【００２３】
ＡＬＣとＡＧＣの二つの制御モードを持つ光プリアンプにおいて、電源断が発生した後、復旧した場合の光プリアンプの再起動時に、有効な光アンプゲイン値がバックアップされている場合は、そのバックアップされているゲインを用いて光プリアンプをＡＧＣで制御して再起動し、有効な光アンプゲイン値がバックアップされていない場合は、光プリアンプをＡＬＣにより再起動する。
【００２４】
光アンプに光信号を入力して光アンプを立ち上げ、光アンプゲインをバックアップしておき、光信号入力が無くなった場合、光アンプをシャットダウンしておく。その後、再度、光信号が入力された場合、バックアップされている光アンプゲインにより光アンプをＡＧＣで制御して再起動する。
【００２５】
ＡＬＣとＡＧＣの二つの制御モードを持つ光プリアンプと、光プリアンプの制御情報を保持するバックアップ部を持つ装置制御ユニットと、光プリアンプのシリアルナンバーを保持する不揮発性メモリと、光プリアンプが収容されるシェルフのシリアルナンバーを保持する不揮発性メモリとを設け、光プリアンプのゲインと共に、光プリアンプのシリアルナンバーと光プリアンプが収容されるシェルフのシリアルナンバーをバックアップ部にバックアップしておき、電源断からの光プリアンプ起動時に光プリアンプ及びシェルフのシリアルナンバーと、バックアップされている光プリアンプ及びシェルフのシリアルナンバーとを比較し、これらの値がそれぞれ一致している場合にのみ、バックアップされている光アンプゲインを有効と判断し、そのバックアップされているゲインを用いて光プリアンプをＡＧＣで再起動することにより、装置制御ユニット交換時に光アンプを誤ったゲインのＡＧＣにより起動することを防止する。
【００２６】
別の光アンプ制御方法として、ＡＬＣとＡＧＣの二つの制御モードを持つ光プリアンプと、アンプゲインを保持するメモリと、監視制御信号を送受するＯＳＣ送受信回路とを持ち、ＡＬＣの時定数をノード間で監視制御情報を処理及び転送するのにかかる時間より長く取り、光プリアンプの初期立ち上げ時に、ＯＳＣ経由で前ノードからのノーマルオペレーション状態通知を受け取ることにより、光プリアンプをＡＬＣで起動し、光プリアンプの出力が目標出力範囲内に一定時間以上入った場合に、その時点でのアンプゲインを保持する。
【００２７】
その後も、光プリアンプの出力が目標出力範囲内に入っている場合は、定期的にメモリに保持しているアンプゲインをその時点のアンプゲインに更新する。
ＡＬＣ運用中に、ＯＳＣ経由で受け取る波長数情報が変化した場合、メモリに保持しているアンプゲインを用いたＡＧＣに切り替える。その後、一定時間、波長数の変化が無く、かつ光プリアンプ出力が目標出力範囲内に入り、安定している場合は、再度ＡＬＣに戻す。
【００２８】
本発明の実施形態によれば、前ノードは光ポストアンプ入力が一定レベル範囲内である場合に、ノーマルオペレーション状態を通知する。このとき、当該光ポストアンプは、ＡＧＣされているため光出力レベルも一定レベル範囲内となる。この光出力を受信する次ノードでは、ノーマルオペレーション状態通知を受信している間は、光プリアンプに入力される光レベルは一定であると見なし、光プリアンプがまだ起動されていない場合は、ＡＬＣにより立ち上げを開始する。ＡＬＣにより光プリアンプ出力レベルが目標出力レベル範囲内に入り一定レベルとなるよう光プリアンプを制御する。その出力レベルが一定時間以上、目標出力レベル範囲内に入っている場合、その時点でのアンプゲインをアンプゲイン保持部に保持し、ガード時間タイマをスタートさせ、前ノードからのノーマルオペレーション状態がこのガード時間タイマがタイムアウトするまでの期間継続した場合に、アンプゲイン保持部に保持してあるアンプゲインを用いてＡＧＣに移行する。この光アンプ制御方式によれば、ノード間の光ロスに応じたアンプゲインを自動設定することができる。また、このときノード間の光ロスを測定器などで測定する場合のようにコネクタをつなぎ変える必要がないため、コネクタ接合部のロスも含めて正確にロスを測定することが可能であり、光回線設計時に余分なロスマージンを見込む必要が無くなる。
【００２９】
このとき、ＡＬＣによるゲイン設定が完了する以前に、波長増減設などにより波長数や前ノードの光ポストアンプ出力が変動した場合でも、ノード間で監視制御情報を処理、転送するのにかかる時間と同じ期間は光プリアンプのゲインがほとんど変化しないようＡＬＣの時定数を長く取っているため、増減設された新しい波長情報が次ノードに通知される前に波長数が変更された光信号が光プリアンプに入力されても、光プリアンプ出力はエラーを発生させるようなレベル変動を生じない。
【００３０】
図１及び図２は、ＡＬＣ時のＡＬＣ時定数の効果を説明した図である。
図１において、縦軸は光プリアンプのトータル出力、横軸は時間である。ｔ１の期間では光プリアンプに入力される波長数は８であり、ｔ２の期間では光プリアンプに入力される波長数は１６であり、ｔ３の期間では光プリアンプに入力される波長数は４であり、ｔ４の期間では光プリアンプに入力される波長数は１０である。また、図２は、図１の縦軸を光プリアンプの一波あたりの出力として書き換えたものである。ＡＬＣを行っている光プリアンプに入力される波長数が変化した場合、前ノードから新しい波長数情報が光プリアンプ部のゲイン制御回路に転送されるまでは、ＡＬＣ時定数（図１、図２の破線）に従って、波長変更前の光プリアンプトータル出力と同じになるように光プリアンプは制御される。このときＡＬＣ時定数が大きいほど単位時間当たりの光プリアンプの出力変化は小さくなり、各波長の光プリアンプ出力のレベル変動も小さくなりエラーを生じがたくなる。
【００３１】
すなわち、ノード間で監視制御情報を処理、転送するのにかかる時間に対して、ＡＬＣの時定数を十分大きくしておけば、新しい波長情報が次ノードに通知される前に波長数が変更された光信号が光プリアンプに入力されても、光プリアンプ出力はエラーを発生させるようなレベル変動を生じない。
【００３２】
また、ＷＤＭ通信では、監視制御情報のＯＳＣ信号を多重することは通常に行われており、このＯＳＣを用いてノーマルオペレーション状態や波長数情報を次ノードに転送すれば、パイロット信号用の余分な回路を持つ必要がない。
【００３３】
また、定期的にＡＬＣにより光プリアンプのゲインを再調整することにより、光ファイバの周囲温度などの外部要因による光ロスの変動を補正することができる。
【００３４】
更に、このとき、このゲイン再調整中に前ノードの光出力レベルが変動し、規定範囲外になった場合や、光波長数が変わった場合は、バックアップ部にバックアップされているゲイン値を用いて光ポストアンプをＡＧＣに戻すことにより、一波あたりの光プリアンプ出力が変動し、信号にエラーを生じることを防止することができる。
【００３５】
光アンプの立ち上げ時は、ノード間のロスを補正するため、ＡＬＣで立ち上げ、通常運用時は波長増減設やパスプロテクションスイッチによる光波長数（光レベル）の急変によるエラーを防止するため、ＡＬＣにより決定したゲインを用いてＡＧＣに切り替える方式において、光アンプ入力が変動しているときにＡＬＣのゲインを保持すると、ＡＧＣ用ゲインが正しく設定できないおそれがある。このため、光アンプをＡＬＣモードで立ち上げる場合には、光アンプに入力する光レベルを一定にしておく必要がある。
【００３６】
前ノードは、光ポストアンプ出力が一定レベル範囲内である場合に、ノーマルオペレーション状態を通知する。次ノードでは、ノーマルオペレーション状態通知を受信している間は、光プリアンプに入力される光レベルは一定であるとみなし、光プリアンプ立ち上げを開始する。また、光プリアンプがＡＬＣにより立ち上げ中に、前ノードの光出力レベルが変動した場合に、光プリアンプをシャットダウンすることにより誤ったゲインで光プリアンプが起動することを防ぐことができる。
【００３７】
また、停電などによる電源断が発生、復旧した場合、バックアップ部にバックアップされているゲイン値を用いて光プリアンプをＡＧＣで制御して再起動することにより、前ノードからの光入力レベルが安定していなくても、光プリアンプを再起動することができ、短時間でＷＤＭシステムによる通信を復旧することができる。
【００３８】
更に、あらかじめ、一旦光信号を入力して予備経路の光アンプゲインを設定及びバックアップし、その後、現用経路で運用する場合において、プロテクションスイッチにより光波長の経路が現用経路から予備経路に切り替えられたとき、予備経路上の光アンプに入力される波長数は０波からプロテクションされる波長数へ変化する。このときバックアップしておいた光アンプゲインにより光アンプをＡＧＣ起動することによりＡＬＣにより起動する場合より早く光アンプを立ち上げることができ、ＡＬＣにより光アンプを立ち上げる場合に時間がかかるという問題を解決し、プロテクションスイッチによる信号断の時間を短くすることができる。
【００３９】
電源オフの状態で光プリアンプの制御情報をバックアップしている装置制御ユニットを交換したとき、バックアップ部に他のシステムで設定されたゲインがバックアップされている場合に、光プリアンプユニット及びシェルフのシリアルナンバーと、バックアップされている光プリアンプユニット及びシェルフのシリアルナンバーとを比較し、これらの値が一致している場合のみ、バックアップされているゲインが有効と判断することにより、誤ったゲイン設定で光プリアンプが起動することを防止することができる。
【００４０】
前述の通常運用時にＡＧＣに移行する方式、定期的にＡＬＣにして光プリアンプゲインの補正を行う方式に対して、別の光プリアンプ制御方式として、ＡＬＣによる光プリアンプ起動後もＡＬＣを継続することにより、常時ノード間のロス変動を補正することができる。また、ＡＬＣの時定数を長く取ることにより、増減設や障害により波長数が変化した場合、新しい波長情報が前ノードから送られてくるまでは、光アンプゲインはほとんど変化せず、光プリアンプ出力はエラーを発生させるようなレベル変動を生じない。更に、ＯＳＣ経由で受け取る波長数情報が変化した場合は、定期的にバックアップしている光アンプゲインを用いてＡＧＣに移行するため、光アンプゲインが変動しエラーを生じることを防ぐことができる。
【００４１】
図３は、図１のＡＤＭ機能を持ったＷＤＭ伝送装置の構成例を片方向の経路に着目し、隣接する二つのノードについて簡単化して示した図である。
図４は、図３における光波長多重装置１０４、及び光ポストアンプ１０５について、本発明の実施形態に従った構成例を示したものである。
【００４２】
図５は、本発明の実施形態に従った光ポストアンプの別の構成例を示した図である。
図３において、ノード１では、伝送路１２１を通じて上流から送られてきたＷＤＭの光波長は、光プリアンプ１０１で増幅された後、光波長分離装置１０２により各波長に分離され、光スイッチ１０３によりアド／ドロップ／スルーされた後、光波長多重装置１０４により波長多重され、光ポストアンプ１０５で増幅され、伝送路１２２により次ノード（ノード２）へ送られる。
【００４３】
同様に、ノード２では、伝送路１２２を通じてノード１から送られてきたＷＤＭの光波長は、光プリアンプ２０１で増幅された後、光波長分離装置２０２により各波長に分離され、光スイッチ２０３によりアド／ドロップ／スルーされた後、光波長多重装置２０４により波長多重され、光ポストアンプ２０５で増幅され、伝送路２２２により次ノードへ送られる。
【００４４】
次に図４を用いて、本発明の実施形態における光波長多重装置、及び光ポストアンプの構成例と動作を説明する。
図４において、各波長（λ１〜λｎ）は、ＰＤ（Photo  Detector）を用いたモニタ４２０を経由して、光波長多重装置４２１で波長多重された後、入力パワーモニタ４０２、光ポストアンプ４０３（典型的には、ＥＤＦＡ：Erbium  Doped  Fiber  Amplifierからなる）、出力パワーモニタ４０４、光ファイバ４０５、光カプラ４０６を介して、伝送路４０７を通って、次ノードへ伝送される。
【００４５】
モニタ４２０にて各波長の光入力の有無を検出し、ＯＳＣ送受信回路４０９へ通知する。ＯＳＣ送受信回路４０９では、この情報により光波長多重装置４２１に入力される波長数、すなわち、光波長多重装置４２１で多重された波長数を計算する。
【００４６】
また、光ポストアンプ４０３の入力パワーを入力パワーモニタ４０２でモニタし、出力パワーを出力パワーモニタ４０４でモニタする。ゲイン制御回路４０８では、これらのモニタ値に基づいて光ポストアンプ４０３をＡＧＣで制御し、光ポストアンプ４０３のゲインを一定にする。
【００４７】
光ポストアンプ４０３が起動していない初期状態では、ゲイン制御回路４０８は、ノーマルオペレーション状態クリア（ＮＯＲＯＰ＝０）をＯＳＣ送受信回路４０９へ通知している。
【００４８】
入力パワーモニタ４０２によってモニタされた入力光レベルが規定範囲内に入り、かつ光ポストアンプ４０３のゲインがＡＧＣにより規定範囲内になった場合に、ゲイン制御回路４０８は、ノーマルオペレーション状態（ＮＯＲＯＰ＝１）をＯＳＣ送受信回路４０９へ通知する。
【００４９】
ＯＳＣ送受信回路４０９は、前述の光波長多重装置４２１で多重された波長数とノーマルオペレーション状態（ＮＯＲＯＰ）情報を、監視制御用光信号（ＯＳＣ信号：波長λosc）を介して伝送路４１０へ送出する。ＯＳＣ信号は光カプラ４０６によりＷＤＭ信号（λ１〜λｎ）と多重された後、伝送路４０７を通って、次ノードへ伝送される。
【００５０】
光ポストアンプ４０３は、ＡＧＣされているため、光ポストアンプ入力が一定レベル範囲内である場合は、光出力レベルも一定レベル範囲内となる。すなわち、光ポストアンプ出力が一定レベル範囲内である場合に、次ノードに対してノーマルオペレーション状態（ＮＯＲＯＰ＝１）を通知することになる。
【００５１】
光波長多重装置４２１の前段においたモニタ（ＰＤ）により多重された波長数を計算する前述の方法の代わりに、図５に示すように、前ノードからＯＳＣ信号を介して送られてくる波長数情報、当該ノードの装置制御回路５０９からの光スイッチ５０５のアド／ドロップ制御情報、当該ノードでアドされる波長をモニタ５１０でモニタした光入力有無情報を用いて、ＯＳＣ送受信回路４０９で波長数を計算しても良い。
【００５２】
ここで、
ｍ：前ノードから送られてくる波長数
ａ：当該ノードでアドされる波長について、実際に光入力が存在する波長数
ｄ：当該ノードでドロップされる波長数
ｎ：当該ノードの光波長多重装置で多重され次ノードへ送信される波長数
とすると、当該ノードの光波長多重装置で多重され、次ノードへ送信される波長数ｎは次式で計算できる（ただし、当該ノードでドロップされる光信号は、光波長多重装置４２１へは入力されないと仮定する）。
ｎ＝ｍ−ｄ＋ａ
以上のように、本発明の実施形態においては、光ポストアンプは、ＡＧＣされる。
【００５３】
図６は、本発明の実施形態に従った光プリアンプの構成例を示す図である。
次に、図６を用いて、本発明における光プリアンプの構成例と動作を説明する。
【００５４】
図６において、前ノードからのＷＤＭ信号は、伝送路６０１を通って、光カプラ６０２、入力パワーモニタ６０３、光プリアンプ６０４（ＥＤＦＡ）、出力パワーモニタ６０５、光ファイバ６０６を通って、次段の波長分離装置へ入力される。
【００５５】
ガード時間タイマ６０８は、ノード間で監視制御情報を処理及び転送するのにかかる時間より長いタイムアウト時間を持つ。
光カプラ６０２によりＷＤＭ信号（λ１〜λｎ、λosc）をサービス用波長（λ１〜λｎ）と監視制御用波長（λosc）に分離し、監視制御用波長は光ファイバ６１０を通じてＯＳＣ送受信回路６１１に入力される。
【００５６】
ＯＳＣ送受信回路６１１では、監視制御用波長により送られてきたＯＳＣ信号からノーマルオペレーション状態情報と波長数情報を取り出す。このうち、波長数をゲイン制御回路６０７へ通知する。
【００５７】
また、光プリアンプ６０４が初期状態（シャットダウン状態で、かつゲイン未設定）の場合に、前ノードからノーマルオペレーション状態（ＮＯＲＯＰ＝１）を受信したとき、ＯＳＣ送受信回路６１１はゲイン制御回路６０７に対してノーマルオペレーション状態を通知する。
【００５８】
ゲイン制御回路６０７は、このノーマルオペレーション状態通知を受けたとき、光プリアンプ６０４の出力パワーを出力パワーモニタ６０５でモニタし、出力レベルが目標出力レベル（＝一波あたりの目標出力レベル×波長数）で一定になるよう光ポストアンプ６０４をＡＬＣで制御する。
【００５９】
出力パワーモニタ６０５によってモニタされた出力光レベルが目標出力レベルの許容誤差範囲内に入り、その範囲内に一定時間入っていた場合に、ゲイン制御回路は、その時点でのアンプゲインをアンプゲイン保持部６０９に保持し、ガード時間タイマ６０８をスタートさせる。ガード時間タイマ６０８が動作中に、前ノードから送られてくる波長数が変化した場合や、ノーマルオペレーション状態がクリアされた（ＮＯＲＯＰ＝０）場合は、ゲイン制御回路６０７は、ガード時間タイマ６０８を停止し、光プリアンプ６０４を初期状態（シャットダウン状態で、かつゲイン未設定）に戻す。
【００６０】
ガード時間タイマ６０８が動作中に、波長数やノーマルオペレーション状態が変化せず、ガード時間タイマ６０８がタイムアウトした場合、ゲイン制御回路６０７は動作モードをＡＧＣに切り替える。このとき、ゲイン制御回路６０７は、アンプゲイン保持部６０９に保持しているアンプゲインを、バックアップ部６１２にバックアップし、光プリアンプ６０４の入力パワーを入力パワーモニタ６０３でモニタし、出力パワーを出力パワーモニタ６０５でモニタし、これらのモニタ値に基づいて光プリアンプ６０４をＡＧＣで制御して光プリアンプ６０４のゲインを一定にする。
【００６１】
ＡＧＣに移行後、予め定めた周期、または、予め定めた時刻、または、ネットワーク監視装置からの要求などのいずれかによって、ゲイン制御回路６０７は光プリアンプ６０４をＡＬＣに切り替え、光プリアンプ６０４の出力パワーを出力パワーモニタ６０５でモニタし、出力レベルが目標出力レベル（＝一波あたりの目標出力レベル×波長数）で一定になるよう光ポストアンプ６０４をＡＬＣで制御する。
【００６２】
出力パワーモニタ６０５によってモニタされた出力光レベルが目標出力レベルの許容誤差範囲内に入り、その範囲内に一定時間入っていた場合に、ゲイン制御回路は、その時点でのアンプゲインをアンプゲイン保持部６０９に保持し、ガード時間タイマ６０８をスタートさせる。ガード時間タイマ６０８が動作中に、前ノードから送られてくる波長数が変化した場合や、ノーマルオペレーション状態がクリアされた（ＮＯＲＯＰ＝０）場合は、ゲイン制御回路６０７は、ガード時間タイマ６０８を停止し、バックアップ部６１２にバックアップしているアンプゲインを用いてＡＧＣに移行する。
【００６３】
ガード時間タイマ６０８が動作中に、波長数やノーマルオペレーション状態が変化せず、ガード時間タイマ６０８がタイムアウトした場合、ゲイン制御回路６０７は動作モードをＡＧＣに切り替える。このとき、ゲイン制御回路６０７は、アンプゲイン保持部６０９に保持しているアンプゲインを、バックアップ部６１２にバックアップし、光プリアンプ６０４の入力パワーを入力パワーモニタ６０３でモニタし、出力パワーを出力パワーモニタ６０５でモニタし、これらのモニタ値に基づいて光プリアンプ６０４をＡＧＣで制御して光プリアンプ６０４のゲインを一定にする。
【００６４】
電源オフ状態から電源投入された場合、ゲイン制御回路６０７は、バックアップ部６１２に有効なアンプゲインがバックアップしているか確認し、有効なアンプゲインがバックアップされている場合は、そのアンプゲインを用いてＡＧＣで光プリアンプ６０４を起動する。
【００６５】
有効なアンプゲインがバックアップされていない場合は、既に説明した、光プリアンプ６０４が初期状態（シャットダウン状態で、かつゲイン未設定）からの立ち上げと同じ方法により光プリアンプを起動する。
【００６６】
更なる機能としては、アンプゲインをバックアップ部６１２にバックアップし、ゲイン制御回路６０７が動作モードをＡＧＣに切り替えた後、光プリアンプ６０４の入力が無くなった（０波になった）ことを入力パワーモニタ６０３で検出したとき、ゲイン制御回路６０７は、光プリアンプ６０４をシャットダウンする。
【００６７】
その後、光入力が入ったことを入力パワーモニタ６０３で検出したとき、ゲイン制御回路６０７は、バックアップ部６１２にバックアップされているアンプゲインを用いてＡＧＣにより光プリアンプ６０４を起動し、光プリアンプ６０４の入力パワーモニタ６０３でモニタし、出力パワーを出力パワーモニタ６０５でモニタし、これらのモニタ値に基づいて光プリアンプ６０４をＡＧＣで制御してゲインを一定にする。
【００６８】
図７は、本発明の実施形態に従った光プリアンプの別の構成例を示す図である。
不揮発性メモリ６２０には光プリアンプユニットのシリアルナンバー（Ｓ／Ｎ）が予め書き込まれており、また、不揮発性メモリ６２１にはシェルフ６３０のシリアルナンバーが予め書き込まれている。前述した方法により光プリアンプをＡＬＣで起動後、ＡＧＣに切り替えアンプゲインをバックアップ部６１２にバックアップするときに、アンプゲインと共に不揮発性メモリ６２０に記憶されている光プリアンプのシリアルナンバー及び不揮発性メモリ６２１に記憶されているシェルフのシリアルナンバーを、バックアップ部６１２にバックアップする。
【００６９】
いま、電源断の状態で装置制御ユニットが交換された場合、もし新しい装置制御ユニットが過去に他の装置で使用されており、そのバックアップ部に他の装置のアンプゲインが記憶されている場合、そのアンプゲインをそのまま用いてＡＧＣで制御すると、ノード間のロスを正しく補正することができず、主信号にエラーを生じさせるおそれがある。これを防止するため、電源起動時に、アンプゲインと共に、バックアップユニット及びシェルフの不揮発性メモリ６２０、６２１に書かれているシリアルナンバーとそれぞれ比較し、両方とも一致した場合のみ、バックアップ部６１２にバックアップされているアンプゲインが有効であると判断し、バックアップされているアンプゲインを用いて、光プリアンプを起動する。
【００７０】
光プリアンプのシリアルナンバーだけではなく、シェルフのシリアルナンバーも比較することにより、バックアップユニットと光プリアンプユニットをペアで交換された場合でも、以前の装置でバックアップされたアンプゲインを用いて立ち上がってしまうことを防止することができる。
【００７１】
また、光プリアンプユニットが抜かれた場合に、装置制御ユニットにおいてバックアップ部にバックアップされているアンプゲインを消去し無効化することにより、上述の発明によれば、光プリアンプユニットのみが交換された場合に、有効なアンプゲインがバックアップされていないため、光プリアンプはＡＬＣで起動する。このため、光プリアンプユニットが交換されたことによる光信号の接続部ロスなどの変動を補正することができる。
【００７２】
以上の実施形態により、以下のような利点が得られる。
ノード間の光ロスに応じたアンプゲインを自動設定することができる。また、このときノード間の光ロスを測定器などで測定する場合のように、コネクタをつなぎ変える必要がないため、コネクタ接合部のロスも含めて正確にロスを測定することが可能であり、光回線設計時に余分なロスマージンを見込む必要が無くなる。
【００７３】
また、ＡＬＣによるゲイン設定が完了する以前に、波長増減設などにより波長数や前ノードの光ポストアンプ出力が変動した場合でも、ノード間で監視制御情報を処理、転送するのにかかる時間と同じ期間は光プリアンプのゲインがほとんど変化しないようＡＬＣの時定数を長く取っているため、増減設された新しい波長情報が次ノードに通知される前に波長数が変更された光信号が光プリアンプに入力されても、光プリアンプ出力はエラーを発生させないようなレベル変動を生じない。また、パイロット信号用の余分な回路を持つ必要がない。
【００７４】
定期的にＡＬＣにより光プリアンプのゲインを再調整することにより、光ファイバの周囲温度などの外部要因による光ロスの変動を補正することができる。
このゲイン再調整中に前ノードの光出力レベルが変動し、規定範囲外になった場合や、光波長数が変わった場合は、バックアップ部にバックアップされているゲイン値を用いて光ポストアンプをＡＧＣに戻すことにより、一波あたりの光プリアンプ出力が変動し、信号にエラーを生じることを防止することができる。
【００７５】
ＡＬＣで立ち上げ、通常運用時はＡＬＣにより決定したゲインを用いてＡＧＣに切り替える方式において、ＡＬＣ時に光アンプに入力する光レベルが一定であるときにＡＧＣ用ゲインを正しく設定することができる。
【００７６】
光プリアンプがＡＬＣにより立ち上げ中に、前ノードの光出力レベルが変動した場合に、光プリアンプをシャットダウンすることにより、誤ったゲインで光プリアンプが起動することを防ぐことができる。
【００７７】
停電などによる電源断が発生、復旧した場合、バックアップ部にバックアップされているゲイン値を用いて光プリアンプをＡＧＣで制御して再起動することにより、前ノードからの光入力レベルが安定していなくても、光プリアンプを再起動することができ、短時間でＷＤＭシステムによる通信を復旧する事ができる。
【００７８】
予備経路の光アンプに予め一旦光信号を入力して光アンプゲインを設定及びバックアップしておくことにより、プロテクションスイッチにより光アンプに入力される波長数が０波から複数波へ変化した場合に、バックアップしておいた光アンプゲインにより光アンプをＡＧＣ起動することによりＡＬＣにより起動する場合より早く光アンプを立ち上げることができ、プロテクションスイッチによる信号断の時間を短くすることができる。
【００７９】
電源オフの状態で光プリアンプの制御情報をバックアップしているバックアップユニットを交換した場合でも、光プリアンプユニット及びシェルフのシリアルナンバーと、バックアップされている光プリアンプユニット及びシェルフのシリアルナンバーとを比較し、これらの値が一致している場合のみ、バックアップされているゲインが有効と判断することにより、他のシステムでバックアップされたアンプゲインを用いて光プリアンプが起動することを防止することができる。
【００８０】
ＡＬＣによる光プリアンプ起動後もＡＬＣを継続することにより、常時ノード間のロス変動を補正することができる。また、ＡＬＣの時定数が長くなることにより、増減設や障害により波長数が変化した場合でも、新しい波長情報が前ノードから送られてくるまでは、光アンプゲインはほとんど変化せず光プリアンプ出力はエラーを発生させるようなレベル変動を生じない。更に、ＯＳＣ経由で受け取る波長数情報が変化した場合は、定期的にバックアップしている光アンプゲインを用いてＡＧＣに移行するため、光アンプゲインが変動し、エラーを生じることを防ぐことができる。
【００８１】
また、本発明の実施形態によれば、ＷＤＭネットワークの光アンプを起動する場合に、各ノード間（前段ノードの光ポストアンプと後段ノードの光プリアンプのペア）が独立してアンプ起動シーケンスを実行することができ、ネットワーク内の全光アンプ間でアンプ起動のハンドシェークを行う必要が無く、光アンプ起動制御が簡単になる。
【００８２】
図８及び図９は、上記実施形態の光ポストアンプと光プリアンプの制御の流れをまとめたフローチャートである。
図８は、本発明の実施形態に従った光ポストアンプのゲイン制御回路における制御フローである。
【００８３】
まず、ステップＳ１０において、光ポストアンプを起動し、ステップＳ１１において、光アンプゲインが規定範囲内か否かが判断される。ステップＳ１１において、光アンプゲインが規定範囲内でないと判断された場合には、規定範囲内に入るまで待つ。ステップＳ１１において、光アンプゲインが規定範囲内にあると判断された場合には、ステップＳ１２において、入力パワーモニタでモニタされる光入力レベルが規定範囲内か否かが判断される。ステップＳ１２において、ステップＳ１２の判断がＮＯの場合には、ステップＳ１３において、ノーマルオペレーション状態をクリアし、ステップＳ１２に戻る。
【００８４】
ステップＳ１２において、光入力レベルが規定範囲内と判断された場合には、ステップＳ１４において、ノーマルオペレーション状態を次のノードに通知して、ステップＳ１２に戻る。
【００８５】
図９は、本発明の実施形態に従った光プリアンプのゲイン制御回路における制御フローである。
光プリアンプ起動処理では、まず、ステップＳ２０において、有効な光アンプゲイン値がバックアップ部に記憶されているか否かを判断する。ステップＳ２０の判断がＹＥＳの場合には、ステップＳ２１において、バックアップされているゲイン値を用いて、光アンプをＡＧＣ制御する。ステップＳ２０の判断がＮＯの場合には、ステップＳ２２に進む。
【００８６】
ステップＳ２２においては、前ノードからノーマルオペレーション状態を受信しているか否かを判断し、していない場合には、受信するまで待つ。ステップＳ２２の判断がＹＥＳの場合には、ステップＳ２３において、光アンプをＡＬＣ制御で起動し、ステップＳ２４において、光アンプ出力レベルが一定時間、目標出力レベル範囲内にあるか否かを判断する。
【００８７】
ステップＳ２４における判断がＮＯの場合には、ステップＳ２５において、前ノードからノーマルオペレーション状態を継続して受信しているか否かを判断する。ステップＳ２５おける判断がＮＯの場合には、ステップＳ３１に進む。ステップＳ２５における判断がＹＥＳの場合には、ステップＳ２６において、前ノードからの波長数情報が変化したか否かを判断する。ステップＳ２６における判断がＮＯの場合には、ステップＳ３１に進む。ステップＳ２６の判断がＹＥＳの場合には、ステップＳ２４に進む。
【００８８】
ステップＳ２４の判断がＹＥＳの場合には、ステップＳ２７において、光アンプゲイン値をアンプゲイン保持部に記憶し、ステップＳ２８において、ガード時間タイマを起動し、ステップＳ２９において、前ノードからノーマルオペレーション状態を継続して受信しているか否かを判断する。ステップＳ２９における判断がＮＯの場合には、ステップＳ３１に進む。ステップＳ２９における判断がＹＥＳの場合には、ステップＳ３０において、前ノードからの波長数情報が変化したか否かを判断する。
【００８９】
ステップＳ３０における判断がＹＥＳの場合には、ステップＳ３１に進む。ステップＳ３０における判断がＮＯの場合には、ステップＳ３４において、ガード時間タイマがタイムアウトしたか否かが判断される。ステップＳ３４における判断がＮＯの場合には、ステップＳ２９に戻る。ステップＳ３４における判断がＹＥＳの場合には、ステップＳ３５において、光アンプをＡＧＣ制御に切り替え、ステップＳ３６において、アンプゲイン保持部に保持しているゲインをバックアップ部へ記憶する。
【００９０】
ステップＳ３１では、有効な光アンプゲイン値がバックアップ部に記憶されているか否かを判断する。ステップＳ３１の判断がＮＯの場合には、ステップＳ３３において、光アンプをシャットダウンし、ステップＳ２２に戻る。ステップＳ３１における判断がＹＥＳの場合には、ステップＳ３２において、バックアップされているゲイン値を用いて、光アンプをＡＧＣ制御に切り替える。
【００９１】
（付記１）光プリアンプと光ポストアンプとを含む光ノードにおける光アンプの監視制御方法であって、
光ポストアンプを自動利得制御するステップと、
光プリアンプを、立ち上げ時には自動レベル制御で立ち上げ、通常運用時は自動利得制御で制御し、通常運用時の所定期間毎に自動レベル制御を行うステップと、
を備えることを特徴とする光アンプの監視制御方法。
【００９２】
（付記２）前記光ポストアンプの入力光パワーが所定範囲内になり、かつ、光ポストアンプの利得が規定範囲になった場合に、次ノードに対し、光ポストアンプの動作が通常状態であることを、送信される光信号の波長多重数と共に、監視制御信号を用いて送信するステップを更に備えることを特徴とする付記１に記載の光アンプの監視制御方法。
【００９３】
（付記３）前記光プリアンプは、前ノードの光ポストアンプから、波長多重数と、通常状態であることの通知を受けて、自動レベル制御によって立ち上がり、立ち上がった後の光プリアンプの利得をメモリに格納するステップを更に備えることを特徴とする付記２に記載の光アンプの監視制御方法。
【００９４】
（付記４）前記光プリアンプは、通常運用時の所定期間毎の自動レベル制御において、所定の出力レベルが得られた時の利得をメモリに格納することを特徴とする付記１に記載の光アンプの監視制御方法。
【００９５】
（付記５）前記光プリアンプは、自動利得制御中に、定期的に自動レベル制御に切り替え、光プリアンプの出力が目標出力範囲内に一定時間以上入った場合に、その時点での利得を保持し、前ノードから通常状態であることの通知を所定時間継続して受信した場合に、自動利得制御に戻ることを特徴とする付記２に記載の光アンプの監視制御方法。
【００９６】
（付記６）光プリアンプが自動レベル制御から自動利得制御に移る場合に、メモリに利得値が格納されていない場合には、光プリアンプの出力をシャットダウンすることを特徴とする付記３に記載の光アンプの監視制御方法。
【００９７】
（付記７）前記光プリアンプにおいて、電源断が発生した後、復旧した場合の光プリアンプの再起動時に、有効な光プリアンプの利得値がメモリに格納されている場合には、該利得値を用いて該光プリアンプを自動利得制御して再起動することを特徴とする付記３に記載の光プリアンプの監視制御方法。
【００９８】
（付記８）前記光プリアンプのシリアル番号と該光プリアンプが収容されるシェルフのシリアル番号をメモリに格納し、電源断からの光プリアンプ起動時に光プリアンプ及びシェルフのシリアル番号と、格納された光プリアンプ及びシェルフのシリアル番号を比較し、一致している場合に、格納されている利得値に基づいて、該光プリアンプを自動利得制御によって起動することを特徴とする付記１に記載の光プリアンプの監視制御方法。
【００９９】
（付記９）光プリアンプと光ポストアンプとを含む光ノードにおける光アンプの監視制御システムであって、
自動利得制御される光ポストアンプと、
立ち上げ時には自動レベル制御で立ち上げ、通常運用時は自動利得制御で制御し、通常運用時の所定期間毎に自動レベル制御される光プリアンプと、
を備えることを特徴とする光アンプの監視制御システム。
【０１００】
（付記１０）前記光ポストアンプの入力光パワーが所定範囲内になり、かつ、光ポストアンプの利得が規定範囲になった場合に、次ノードに対し、光ポストアンプの動作が通常状態であることを、送信される光信号の波長多重数と共に、監視制御信号を用いて送信することを特徴とする付記９に記載の光アンプの監視制御システム。
【０１０１】
（付記１１）前記光プリアンプは、前ノードの光ポストアンプから、波長多重数と、通常状態であることの通知を受けて、自動レベル制御によって立ち上がり、立ち上がった後の光プリアンプの利得をメモリに格納するメモリを更に備えることを特徴とする付記１０に記載の光アンプの監視制御システム。
【０１０２】
（付記１２）前記光プリアンプは、通常運用時の所定期間毎の自動レベル制御において、所定の出力レベルが得られた時の利得をメモリに格納することを特徴とする付記９に記載の光アンプの監視制御システム。
【０１０３】
（付記１３）前記光プリアンプは、自動利得制御中に、定期的に自動レベル制御に切り替え、光プリアンプの出力が目標出力範囲内に一定時間以上入った場合に、その時点での利得を保持し、前ノードから通常状態であることの通知を所定時間継続して受信した場合に、自動利得制御に戻ることを特徴とする付記１０に記載の光アンプの監視制御システム。
【０１０４】
（付記１４）光プリアンプが自動レベル制御から自動利得制御に移る場合に、メモリに利得値が格納されていない場合には、光プリアンプの出力をシャットダウンすることを特徴とする付記１１に記載の光アンプの監視制御システム。
【０１０５】
（付記１５）前記光プリアンプにおいて、電源断が発生した後、復旧した場合の光プリアンプの再起動時に、有効な光プリアンプの利得値がメモリに格納されている場合には、該利得値を用いて該光プリアンプを自動利得制御して再起動することを特徴とする付記１１に記載の光プリアンプの監視制御システム。
【０１０６】
（付記１６）前記光プリアンプのシリアル番号と該光プリアンプが収容されるシェルフのシリアル番号をメモリに格納し、電源断からの光プリアンプ起動時に光プリアンプ及びシェルフのシリアル番号と、格納された光プリアンプ及びシェルフのシリアル番号を比較し、一致している場合に、格納されている利得値に基づいて、該光プリアンプを自動利得制御によって起動することを特徴とする付記９に記載の光プリアンプの監視制御システム。
【０１０７】
【発明の効果】
本発明によれば、コストの面で優れ、自動的に光アンプのゲインの調整と立ち上げを行うことができる。
【図面の簡単な説明】
【図１】ＡＬＣ時のＡＬＣ時定数の効果を説明した図（その１）である。
【図２】ＡＬＣ時のＡＬＣ時定数の効果を説明した図（その２）である。
【図３】図１のＡＤＭ機能を持ったＷＤＭ伝送装置の構成例を片方向の経路に着目し、隣接する二つのノードについて簡単化して示した図である。
【図４】図３における光波長多重装置１０４、及び光ポストアンプ１０５について、本発明の実施形態に従った構成例を示したものである。
【図５】本発明の実施形態に従った光ポストアンプの別の構成例を示した図である。
【図６】本発明の実施形態に従った光プリアンプの構成例を示す図である。
【図７】本発明の実施形態に従った光プリアンプの別の構成例を示す図である。
【図８】本発明の実施形態に従った光ポストアンプのゲイン制御回路における制御フローである。
【図９】本発明の実施形態に従った光プリアンプのゲイン制御回路における制御フローである。
【図１０】ＡＤＭ機能を持ったＷＤＭ通信装置の構成例である。
【図１１】ＷＤＭ通信ネットワークの一例を示す図である。
【符号の説明】
４０２、６０３      入力パワーモニタ
４０３、６０４      ＥＤＦＡ
４０４、６０５      出力パワーモニタ
４０５、６１０      光ファイバ
４０６、５０２、６０２      カプラ
４０７、４１０、５０１、６０１      伝送路
４０８、６０７      ゲイン制御回路
４０９、６１１      ＯＳＣ送受信回路
４２０、５１０      ＰＤ
４２１      ＭＵＸ
５０３      光プリアンプ
５０５      光スイッチ
５０９      装置制御回路
６０８      ガード時間タイマ
６０９      アンプゲイン保持部
６１２      バックアップ部
６２０、６２１      不揮発性メモリ
６３０      シェルフ
【図１】
0003923301.tif 000002
【図２】
0003923301.tif 000003
【図３】
0003923301.tif 000004
【図４】
0003923301.tif 000005
【図５】
0003923301.tif 000006
【図６】
0003923301.tif 000007
【図７】
0003923301.tif 000008
【図８】
0003923301.tif 000009
【図９】
0003923301.tif 000010
【図１０】
0003923301.tif 000011
【図１１】
0003923301.tif 000012